(57)【要約】
【課題】  その構造及び使用方式が多機能特性を具え、利便性を提供可能な多機能吊下げ・固定装置を提供する。
【解決手段】  主に両面或いは片面上に磁石１４或いはゴム吸盤３を設置し、コンピュータ、電気設備、壁面、自動車或いは家具などの金属板、ガラス、或いは滑らかな板面に吸着することができ、またケース体外縁或いは構造体上にはネジ孔を設置し、一般の壁面に螺合することができ、しかも、該本体上には吊下げフック５Ａ、面ファスナー５Ｂ、コードクリップ５Ｃ、及び多機能握持機能を具えた掌型物などの付属部品を結合可能である多機能吊下げ・固定装置。
【選択図】図２
0003100722.tif 000002
【実用新案登録請求の範囲】
【請求項１】
分離可能な一組の上ケース体、下ケース体を含み、
該上ケース体は盤状を呈し、その中央には貫通孔を設置し、該貫通孔内縁には中央に向けて突出した突起ブロックを設置し、該上ケース体が形成する凹槽内には磁石ブロックを設置可能で、
該下ケース体も同様に盤状を呈するが、その方向は該上ケース体と反対で、該下ケース体中央にも同様に貫通孔を設置し、該下ケース体が形成する凹槽内にはゴム吸盤ユニットを設置可能で、
該ゴム吸盤ユニットはゴム吸盤と牽動ブロックを含み、
該ゴム吸盤中にはネジを設置し、該ネジの一端は該ゴム吸盤外に延伸し、該牽動ブロックの一端には該ネジと対照するネジ刻み孔を設置し、該牽動ブロックの頂端内縁には斜錐面を形成し、該斜錐面端部には牽止槽を設置し、
該ゴム吸盤は該ネジの外に延伸する部分により該下ケース体の貫通孔を穿通し、該牽動ブロック一端のネジ刻み孔と螺合し、該ゴム吸盤及び該牽動ブロックを該下ケース体上に固定し、
使用者は表、裏面を選択し、該磁石ブロック或いは該ゴム吸盤により、該多機能吊下げ・固定装置を滑らかなガラス板上、或いは金属板上に吸着させることができることを特徴とする多機能吊下げ・固定装置。
【請求項２】
前記下ケース体中に設置する牽動ブロック頂端内縁の斜錐面は前記上、下ケース体に組合わせる時、前記上ケース体中央孔内縁の突起ブロックと相互に係合し、前記上、下ケース体の回転を通じて、該突起ブロックと該牽動ブロックの斜錐面が生じる位差は該牽止槽において止まり、該ゴム吸盤を上方へと引上げ、それにより、前記上、下ケース体は嵌合する他、該ゴム吸盤の吸着力は強化されることを特徴とする請求項１記載の多機能吊下げ・固定装置。
【請求項３】
前記上、下ケース体間に係入する付属部品は吊下げフック、面ファスナー、コードクリップ、看板、及び多機能握持機能を具えた掌型物、或いはパイプ固定リングなどを含み、上記各種実施例の付属部品上にはすべて孔径を設置することを特徴とする請求項１記載の多機能吊下げ・固定装置。
【請求項４】
前記下ケース体外縁上には延伸した螺固ブロックを２〜４枚設置可能で、該螺固ブロック上には螺固孔を設置し、ネジを貫通させることができ、こうして、該多機能吊下げ・固定装置を一般の壁面上に螺固することができることを特徴とする請求項１記載の多機能吊下げ・固定装置。
【請求項５】
前記構造において、ケースの単面上に磁石ブロック及びゴム吸盤を同時に具える構造とすることができ、
ケース体の片面上の中央位置には予めゴム吸盤を設置する凹槽を形成し、その両側には磁石ブロックを設置する凹槽を形成し、こうして、同時に該ゴム吸盤及び該磁石ブロックにより吸着させ、こうして、適当にゴム吸盤構造を上に引き上げ、吸着効果を高め、しかも該ケース体上の孔は直接ボルトにより一般の物体表面に螺個することができることを特徴とする請求項１記載の多機能吊下げ・固定装置。
【請求項６】
前記ケース体中央の貫通孔に、移動ブロックの一端は貫通し、該ゴム吸盤上には延伸バーを設置し、該移動ブロックの中央孔に固定し、該移動ブロックと一体に結合し、また、該移動ブロック一端上にはネジ刻み孔を設置し、該ネジ刻み孔は該ケース体外縁のナットのネジにより該ネジ刻み孔に螺入し、こうして、適当に該ゴム吸盤を上に引き上げることを特徴とする請求項５記載の多機能吊下げ・固定装置。
【請求項７】
前記ケース体と前記ナット間には、吊下げフック及びクリップを設置し、該吊下げフック及び該クリップ上には貫通孔を設置し、該ナットのネジにより貫通、螺固することを特徴とする請求項５記載の多機能吊下げ・固定装置。
【請求項８】
前記ケース単面上に同時に磁石ブロック及びゴム吸盤を設置する構造方式において、別種の実施例では弧状ケース体上にゴム吸盤及び磁石ブロックを設置する他、該弧状ケース体片側に回転バーを設置し、該弧状ケース体上の該ゴム吸盤に対応する位置には中央孔を設置し、該ゴム吸盤上には吊下げフックを固定することを特徴とする請求項１記載の多機能吊下げ・固定装置。
【請求項９】
前記吊下げフック上には軸孔を設置し、それは前記回転バー上の軸バーと結合し、これにより、該回転バー端の突起ブロックは該回転バーにおいて水平に回転し、該弧状ケース体と密着する時、該突起ブロックは前記ゴム吸盤を引き上げることを特徴とする請求項８記載の多機能吊下げ・固定装置。
【請求項１０】
前記吊下げフック上にはネジ刻み孔を設置し、その上にはベアリングを採用し、ボルトにより螺入することができ、こうして上記各式付属部品を固定することを特徴とする請求項８記載の多機能吊下げ・固定装置。
【請求項１１】
前記吊下げフックはその上に係合孔を持つあらゆる造形の付属部品を設置可能で、掌型物付属部品を係合、結合する場合には、該掌型物付属部品内縁には金属線を埋設し、その手指は任意に屈曲、或いは握持が可能となり、こうして、かぎの吊下げ、或いはコード、コンピュータ周辺製品、自動車用品、台所用具、食器、お風呂用具の固定、或いは携帯電話の固定、カップ、鏡、看板などの固定が可能であることを特徴とする請求項８記載の多機能吊下げ・固定装置。
【考案の詳細な説明】
【技術分野】
【０００１】
本考案は一種の多機能吊下げ・固定装置に関する。特に一種のその構造及び使用方式が多機能特性を具え、利便性を提供可能な多機能吊下げ・固定装置に係る。
【背景技術】
【０００２】
コンピュータを使用、ケーブルを敷設、電話を設置、金属板に資料を磁石で吸着、金属板上に記号を標示、製品を展示販売、広告用看板或いはパイプ、或いは他のカギ、ドライヤー、窓の日よけカーテンの固定などは、日常的に移動させる必要がある。このような場合には一般に、ガラスなどの滑らかな表面に吸着する吊下げフック吸盤、コードクリップ吸盤、金属板の上に吸着する磁石ブロック、或いは壁に螺固しパイプを挟み固定するパイプクリップ、或いは定位クリップなどを使用する。
上記のような様々な装置を選択し、ケーブル、コード、電話線を束ね整理し、壁面に吸着する吊下げフックにより物品を吊下げ、白板或いは冷蔵庫表面などの金属板上に資料を吸着し、或いは標示、標記とする場合には、先ず板上に固定器を固定しプラスチック、金属、或いはガラスの告示板を設置し、一時的に告示物、窓の日よけカーテンなどとし、或いは壁に釘を打ち、或いはコードクリップを螺固し、コードの挟持定位を行う。
このように、使用状況と使用目的の違いに応じて、異なる吸盤、磁石ブロック、固定器などを購入する必要がある。そのため、生産者は使用者のニーズに対応しようと製造コストは増加する傾向にある。また、使用者は異なる使用状態に応じて異なる製品を購入する必要があり、生産者、消費者双方にとって理想的な状況ではない。
【特許文献１】特開２００３−１２８３７９号公報
【考案の開示】
【考案が解決しようとする課題】
【０００３】
上記公知構造の欠点を解決するため、本考案は多機能吊下げ・固定装置の提供を課題とする。
それは、上記各種器材の機能を統合し、その機能と適用性を拡充したものである。それにより、かぎの吊下げ、或いはコード、コンピュータ周辺製品、自動車用品、台所用具、食器、お風呂用具の固定、或いは携帯電話の固定、カップ、鏡、看板などの固定が可能である。
【課題を解決するための手段】
【０００４】
上記課題を解決するため、本考案は下記の多機能吊下げ・固定装置を提供する。
それは主に両面或いは片面上に磁石或いはゴム吸盤を設置し、コンピュータ、電気設備、壁面、自動車或いは家具などの金属板、ガラス、或いは滑らかな板面に吸着することができる。また、同面に磁石とゴム吸盤を同時に設置し、その吸着力を向上させることもできる。さらに、ケース体外縁或いは構造体上にはネジ孔を設置し、一般の壁面に螺合することができ、しかも、該本体上には吊下げフック、面ファスナー、コードクリップ、及び多機能握持機能を具えた掌型物などの付属部品を結合可能である。
すなわち、本考案の多機能吊下げ・固定装置は、以下に述べる特徴を有する。
１． 分離可能な一組の上ケース体、下ケース体を含み、
該上ケース体は盤状を呈し、その中央には貫通孔を設置し、該貫通孔内縁には中央に向けて突出した突起ブロックを設置し、該上ケース体が形成する凹槽内には磁石ブロックを設置可能で、
該下ケース体も同様に盤状を呈するが、その方向は該上ケース体と反対で、該下ケース体中央にも同様に貫通孔を設置し、該下ケース体が形成する凹槽内にはゴム吸盤ユニットを設置可能で、
該ゴム吸盤ユニットはゴム吸盤と牽動ブロックを含み、
該ゴム吸盤中にはネジを設置し、該ネジの一端は該ゴム吸盤外に延伸し、該牽動ブロックの一端には該ネジと対照するネジ刻み孔を設置し、該牽動ブロックの頂端内縁には斜錐面を形成し、該斜錐面端部には牽止槽を設置し、
該ゴム吸盤は該ネジの外に延伸する部分により該下ケース体の貫通孔を穿通し、該牽動ブロック一端のネジ刻み孔と螺合し、該ゴム吸盤及び該牽動ブロックを該下ケース体上に固定し、
使用者は表、裏面を選択し、該磁石ブロック或いは該ゴム吸盤により、該多機能吊下げ・固定装置を滑らかなガラス板上、或いは金属板上に吸着させることができることを特徴とする。
２．前記下ケース体中に設置する牽動ブロック頂端内縁の斜錐面は前記上、下ケース体に組合わせる時、前記上ケース体中央孔内縁の突起ブロックと相互に係合し、前記上、下ケース体の回転を通じて、該突起ブロックと該牽動ブロックの斜錐面が生じる位差は該牽止槽において止まり、該ゴム吸盤を上方へと引上げ、それにより、前記上、下ケース体は嵌合する他、該ゴム吸盤の吸着力は強化されることを特徴とする。
３． 前記上、下ケース体間に係入する付属部品は吊下げフック、面ファスナー、コードクリップ、看板、及び多機能握持機能を具えた掌型物、或いはパイプ固定リングなどを含み、上記各種実施例の付属部品上にはすべて孔径を設置することを特徴とする。
４．前記下ケース体外縁上には延伸した螺固ブロックを２〜４枚設置可能で、該螺固ブロック上には螺固孔を設置し、ネジを貫通させることができ、こうして、該多機能吊下げ・固定装置を一般の壁面上に螺固することができることを特徴とする。
５． 前記構造において、ケースの単面上に磁石ブロック及びゴム吸盤を同時に具える構造とすることができ、
ケース体の片面上の中央位置には予めゴム吸盤を設置する凹槽を形成し、その両側には磁石ブロックを設置する凹槽を形成し、こうして、同時に該ゴム吸盤及び該磁石ブロックにより吸着させ、こうして、適当にゴム吸盤構造を上に引き上げ、吸着効果を高め、しかも該ケース体上の孔は直接ボルトにより一般の物体表面に螺個することができることを特徴とする。
６．前記ケース体中央の貫通孔に、移動ブロックの一端は貫通し、該ゴム吸盤上には延伸バーを設置し、該移動ブロックの中央孔に固定し、該移動ブロックと一体に結合し、また、該移動ブロック一端上にはネジ刻み孔を設置し、該ネジ刻み孔は該ケース体外縁のナットのネジにより該ネジ刻み孔に螺入し、こうして、適当に該ゴム吸盤を上に引き上げることを特徴とする。
７．前記ケース体と前記ナット間には、吊下げフック及びクリップを設置し、該吊下げフック及び該クリップ上には貫通孔を設置し、該ナットのネジにより貫通、螺固することを特徴とする。
８．前記ケース単面上に同時に磁石ブロック及びゴム吸盤を設置する構造方式において、別種の実施例では弧状ケース体上にゴム吸盤及び磁石ブロックを設置する他、該弧状ケース体片側に回転バーを設置し、該弧状ケース体上の該ゴム吸盤に対応する位置には中央孔を設置し、該ゴム吸盤上には吊下げフックを固定することを特徴とする。
９．前記吊下げフック上には軸孔を設置し、それは前記回転バー上の軸バーと結合し、これにより、該回転バー端の突起ブロックは該回転バーにおいて水平に回転し、該弧状ケース体と密着する時、該突起ブロックは前記ゴム吸盤を引き上げることを特徴とする。
１０．前記吊下げフック上にはネジ刻み孔を設置し、その上にはベアリングを採用し、ボルトにより螺入することができ、こうして上記各式付属部品を固定することを特徴とする。
１１．前記吊下げフックはその上に係合孔を持つあらゆる造形の付属部品を設置可能で、掌型物付属部品を係合、結合する場合には、該掌型物付属部品内縁には金属線を埋設し、その手指は任意に屈曲、或いは握持が可能となり、こうして、かぎの吊下げ、或いはコード、コンピュータ周辺製品、自動車用品、台所用具、食器、お風呂用具の固定、或いは携帯電話の固定、カップ、鏡、看板などの固定が可能であることを特徴とする。
【考案の効果】
【０００５】
本考案は、実用的かつ広汎な機能を具えた吸着装置である
【考案を実施するための最良の形態】
【０００６】
図１、２が示すように、本考案は主に分離可能な一組の上ケース体１、下ケース体２を含む。該上ケース体１は盤状を呈し、その中央には貫通孔１１を設置する。該貫通孔１１内縁には中央に向けて突出した突起ブロック１２を設置する。該上ケース体１が形成する凹槽１３内には磁石ブロック１４を設置可能である。
該下ケース体２も同様に盤状を呈するが、その方向は該上ケース体１と反対である。該下ケース体２中央にも同様に貫通孔２１を設置する。該下ケース体２が形成する凹槽２３内にはゴム吸盤ユニットを設置可能である。
【０００７】
該ゴム吸盤ユニットはゴム吸盤３と牽動ブロック４を含む。該ゴム吸盤３中にはネジ３１を設置し、該ネジ３１の一端は該ゴム吸盤３外に延伸する。該牽動ブロック４の一端には該ネジ３１と対照するネジ刻み孔４１を設置する。該牽動ブロック４の頂端内縁には斜錐面４２を形成し、該斜錐面４２端部には牽止槽４３を設置する(図３参照)。
該ゴム吸盤３は該ネジ３１の外に延伸する部分により該下ケース体２の貫通孔２１を穿通し、該牽動ブロック４一端のネジ刻み孔４１と螺合し、該ゴム吸盤３及び該牽動ブロック４を該下ケース体２上に固定する。
該ゴム吸盤３及び該牽動ブロック４を含む該下ケース体２は該牽動ブロック４を該上ケース体１の貫通孔１１に入れることができ、また内縁の突起ブロック１２と該牽動ブロック４頂端の斜錐面４２を相互に係合することができる。該上下ケース体１、２の回転を通じて、該突起ブロック１２と該牽動ブロック４の斜錐面４２が生じる位差は該牽止槽４３において止まり、該ゴム吸盤３を上方へと引上げる。それにより、該上下ケース体１、２は嵌合する他、該ゴム吸盤３の吸着力は強化される。
【０００８】
図４が示すように、本考案は本体上に結合可能な付属部品５を含む。図５、６、７、８が示すように、該付属部品５は吊下げフック５A、面ファスナー５B、コードクリップ５C、看板５D、及び多機能握持機能を具えた掌型物５E、或いはパイプ固定リングなどの連結装置を含む。上記各種実施例の付属部品５上にはすべて孔径５１を設置し、該上、下ケース体１、２において分かれた時、該孔径５１により該上、下ケース体１、２間に嵌入し定位される。これにより、本考案の多機能吊下げ・固定装置は各種吊下げ、吸着、或いは固定使用に広く適用可能となる。
【０００９】
図６、７が示すように、本考案において使用者は表、裏面を選択し、該磁石ブロック１４或いは該ゴム吸盤３により、該多機能吊下げ・固定装置を滑らかなガラス板６上、或いは白板、コンピュータケース、或いは冷蔵庫の金属板７上に吸着させることができる。
図９が示すように、該下ケース体２外縁上には延伸した螺固ブロック２４を２〜４枚設置可能で、該螺固ブロック２４上には螺固孔を設置し、ネジを貫通させることができる。こうして、該多機能吊下げ・固定装置を一般の壁面上、特に比較的重量のある物品の吊下げ或いはパイプの固定に用いることができる。
【００１０】
上記構造において、本考案の実施例はまた、その設計にケースの単面上に磁石ブロック及びゴム吸盤を同時に具える構造とすることができる。
図１３が示すように、該ケース体８の片面上の中央位置には予めゴム吸盤８３を設置する凹槽８１を形成する。その両側には磁石ブロック８４を設置する凹槽８２を形成する。こうして、同時に該ゴム吸盤８３及び該磁石ブロック８４により吸着させ、しか該ケース体８中央の貫通孔８５に、移動ブロック８６の一端は貫通する(図１４、１５参照)。
該ゴム吸盤８３上には延伸バー８３１を設置し、該移動ブロック８６の中央孔８６１に固定し、該移動ブロック８６と一体に結合する。また、該移動ブロック８６一端上にはネジ刻み孔８６２を設置し、該ネジ刻み孔８６２は該ケース体８外縁のナット８７のネジ８７１により該ネジ刻み孔８６２に螺入する。こうして、適当に該ゴム吸盤８３を上に引き上げ、吸着効果は最良となる(図１６、１７参照)。
該実施例において、同様に該ケース体８と該ナット８７間には、図１８、１９、２０、２１が示すような吊下げフック８８及びクリップ８９を設置することができる。該吊下げフック８８及び該クリップ８９上には貫通孔８８１、８９１を設置し、該ナット８７のネジ８７１により貫通、螺固する(図２２、２３参照)。
【００１１】
ケース単面上に同時に磁石ブロック及びゴム吸盤を設置する構造方式において、本考案は別種の実施例を有する。図２４、２５、２６が示すように、それは弧状ケース体９上にゴム吸盤９３及び磁石ブロック９４を設置する他、該弧状ケース体９片側に回転バー９２を設置する。該弧状ケース体９上の該ゴム吸盤９３に対応する位置には中央孔９１を設置する。該ゴム吸盤９３上には吊下げフック９５を固定する。
図２７が示すように、該吊下げフック９５上には軸孔９５１を設置し、それは該回転バー９２上の軸バー９２１と結合する。これにより、該回転バー９２端の突起ブロック９２２は該回転バー９２において水平に回転し、該弧状ケース体９と密着する時、該突起ブロック９２２は該ゴム吸盤９３を引き上げ、その吸着効果は最良となる(図２８参照)。
さらに、図２４が示すように、該吊下げフック９５上にはネジ刻み孔９５２を設置し、その上にはベアリング９５３を採用し、ボルト９５４により螺入することができる。こうして上記各式付属部品５を固定する。
また図２９、３０が示すように、上記吊下げフック９５はその上に係合孔９６１を持つあらゆる造形の付属部品を設置可能である。掌型物付属部品９６を係合、結合する場合には、該掌型物付属部品９６内縁には金属線(図示なし)を埋設し、その手指は任意に屈曲、或いは握持が可能となる。こうして、かぎの吊下げ、或いはコード、コンピュータ周辺製品、自動車用品、台所用具、食器、お風呂用具の固定、或いは携帯電話の固定、カップ、鏡、看板などの固定が可能である。
【００１２】
上記のように、本考案は実用的かつ広汎な機能を具えた吸着装置である
【図面の簡単な説明】
【００１３】
【図１】本考案各部品の分解断面指示図である。
【図２】本考案各部品の組合せ断面指示図である。
【図３】本考案牽動ブロックの側面図である。
【図４】本考案各主要部品の分解断面指示図である。
【図５】本考案面ファスナー付属部品の実施例立体図である。
【図６】本考案看板付属部品の実施例平面図である。
【図７】本考案コードクリップ付属部品の実施例平面図である。
【図８】本考案掌型物付属部品の実施例立体図である。
【図９】本考案螺固ブロックを設置する下ケース体の上面図である。
【図１０】本考案螺固ブロックを設置する下ケース体の断面指示図である。
【図１１】本考案において装置をガラス板上に吸着させようとする状況の実施例指示図である。
【図１２】本考案において装置を金属板上に吸着させようとする状況の実施例指示図である。
【図１３】本考案別種の実施例の各部品の分解断面指示図である。
【図１４】本考案別種の実施例の移動ブロックの側面図である。
【図１５】本考案別種の実施例の移動ブロックの上面図である。
【図１６】本考案別種の実施例の各部品の組合せ断面指示図である。
【図１７】図１６の側面図である。
【図１８】本考案吊下げフック付属部品の側面図である。
【図１９】本考案吊下げフック付属部品の正面図である。
【図２０】本考案コードクリップ付属部品の側面図である。
【図２１】本考案コードクリップ付属部品の正面図である。
【図２２】本考案別種の実施例の吊下げフックを設置する各部品の組合せ断面指示図である。
【図２３】本考案別種の実施例のコードクリップを設置する各部品の組合せ断面指示図である。
【図２４】本考案別種の実施例の正面図である。
【図２５】図２４の仰視図である。
【図２６】図２４の側面図である。
【図２７】本考案吊下げフックの側面図である。
【図２８】本考案別種の実施例の動作指示図である。
【図２９】本考案掌型物付属部品の立体図である。
【図３０】本考案別種の実施例の掌型物付属部品を設置する立体図である。
【符号の説明】
【００１４】
１  上ケース体
１１  貫通孔
１２  突起ブロック
１３  凹槽
１４  磁石ブロック
２  下ケース体
２１  貫通孔
２３  凹槽
２４  螺固ブロック
２４１  螺固孔
３  ゴム吸盤
３１  ネジ
４  牽動ブロック
４１  ネジ刻み孔
４２  斜錐面
４３  牽止槽
５  付属部品
５１  孔径
５A  吊下げフック
５B  面ファスナー
５C  コードクリップ
５D  看板
５E  掌型物
６  ガラス板
７  金属板
８  ケース体
８１  凹槽
８２  凹槽
８３  ゴム吸盤
８３１  延伸バー
８４  磁石ブロック
８５  貫通孔
８６  移動ブロック
８６１  中央孔
８６２  ネジ刻み孔
８７  ナット
８７１  ネジ
８８  吊下げフック
８９  クリップ
８８１  貫通孔
８９１  貫通孔
９  弧状ケース体
９１  中央孔
９２  回転バー
９２１  軸バー
９２２  突起ブロック
９３  ゴム吸盤
９４  磁石ブロック
９５  吊下げフック
９５１  軸孔
９５２  ネジ刻み孔
９５３  ベアリング
９５４  ボルト
９６  掌型物付属部品
９６１  係合孔
【図１】
0003100722.tif 000003
【図２】
0003100722.tif 000004
【図３】
0003100722.tif 000005
【図４】
0003100722.tif 000006
【図５】
0003100722.tif 000007
【図６】
0003100722.tif 000008
【図７】
0003100722.tif 000009
【図８】
0003100722.tif 000010
【図９】
0003100722.tif 000011
【図１０】
0003100722.tif 000012
【図１１】
0003100722.tif 000013
【図１２】
0003100722.tif 000014
【図１３】
0003100722.tif 000015
【図１４】
0003100722.tif 000016
【図１５】
0003100722.tif 000017
【図１６】
0003100722.tif 000018
【図１７】
0003100722.tif 000019
【図１８】
0003100722.tif 000020
【図１９】
0003100722.tif 000021
【図２０】
0003100722.tif 000022
【図２１】
0003100722.tif 000023
【図２２】
0003100722.tif 000024
【図２３】
0003100722.tif 000025
【図２４】
0003100722.tif 000026
【図２５】
0003100722.tif 000027
【図２６】
0003100722.tif 000028
【図２７】
0003100722.tif 000029
【図２８】
0003100722.tif 000030
【図２９】
0003100722.tif 000031
【図３０】
0003100722.tif 000032